(57)【要約】【課題】電力会社から電力の供給が停止した場合において、家庭用の照明として機能する照明装置を提供する。【解決手段】照明装置１は、自動四輪車、自動二輪車、及び特殊自動車の内、少なくとも何れか１つに流用可能である蓄電池１０を、取り外し自在に収納する筺体２と、蓄電池１０に蓄えられる電力を用いて発光する照明部２０とを備える。ここで、照明装置１は、蓄電池１０を充電するための電力を取得する電力取得部４と、蓄電池１０に蓄えられている電力を他の装置に供給する電力供給部５とをさらに備えるのが好適である。【選択図】図１
2013222691.tif 000002
【特許請求の範囲】
【請求項１】
自動四輪車、自動二輪車、及び特殊自動車の内、少なくとも何れか１つに流用可能である蓄電池を、取り外し自在に収納する筺体と、
前記蓄電池に蓄えられる電力を用いて発光する照明部と、
を備えることを特徴とする照明装置。
【請求項２】
前記蓄電池を充電するための電力を取得する電力取得部と、
前記蓄電池に蓄えられている電力を他の装置に供給する電力供給部と、をさらに備える、
ことを特徴とする請求項１に記載された照明装置。
【請求項３】
前記筺体に回動自在に取り付けられる蓋部をさらに備え、
前記照明部は、前記蓋部の内側に配設される、
ことを特徴とする請求項１又は請求項２に記載された照明装置。
【請求項４】
前記蓄電池に蓄えられる電力を用いて無線通信を実現する通信部と、
前記照明部及び前記通信部の少なくともいずれか一方を用いて、救助信号を発信する救助信号発信部をさらに備える、
ことを特徴とする請求項１ないし請求項３の何れか１項に記載の照明装置。
【請求項５】
通信端末と、前記通信端末に接続される情報処理装置とで構成される照明装置供給システムであって、
前記情報処理装置は、
自動車の種類と前記自動車で使用される蓄電池の種類とを関連付けた自動車種類別蓄電池情報、及び前記蓄電池の種類と、前記蓄電池の種類に対応し、当該蓄電池に充電された電力を用いて発光素子を発光させる照明装置の種類とを関連付けた照明装置種類情報が格納される記憶部と、
前記通信端末から前記自動車の種類を取得する自動車種類取得部と、
前記自動車種類取得部が取得した前記自動車の種類に基づき前記自動車種類別蓄電池情報を検索し、対応する蓄電池の種類を算出し、算出した前記蓄電池の種類に基づき照明装置種類情報を検索し、対応する照明装置の種類を算出する照明装置種類算出部と、
前記照明装置種類算出部が算出した前記照明装置の種類を前記通信端末に送信する照明装置種類送信部と、を備え、
前記通信端末は、
前記自動車の種類を受け付け、受け付けた前記自動車の種類を前記情報処理装置に対して送信する自動車種類入力部と、
前記情報処理装置から前記照明装置の種類を受信し、受信した前記照明装置の種類を出力する照明装置種類出力部と、を備える、
ことを特徴とする照明装置供給システム。
【発明の詳細な説明】
【技術分野】
【０００１】
本発明は、蓄電池を用いた照明装置及び照明装置供給システムに関し、特に、バッテリーを用いて有事における家庭用の照明装置及び照明装置供給システムを実現する技術に関する。
【背景技術】
【０００２】
従来からあるバッテリーは、プラス極(正極)板、マイナス極(負極)板、及び電解液とから構成され、化学反応により、直流の電気エネルギーを取得することや、逆に外部から電気エネルギーを与えることが可能である（非特許文献１参照）。
【先行技術文献】
【非特許文献】
【０００３】
【非特許文献１】“バッテリの構造”、［online］、社団法人電池工業会、［平成２４年３月２６日検索］、インターネット、＜http://www.baj.or.jp/car_battery/car02.html＞
【発明の概要】
【発明が解決しようとする課題】
【０００４】
ここで、バッテリーは、自動車などの電源として用いられることが通常であり、家庭用の照明装置の電源とすることは考えられていない。それは、各家庭には、一般電気事業者(電力会社)から安定したＡＣ１００Ｖの電力が供給されており、家庭では、この電力を使用するのが通常であるからである。そして、地震などの有事の場合でも、一時的に電力の供給が停止するとしても、長時間にわたって電力が供給されない事態は想定されていなかった。
【０００５】
しかしながら、今般、想定を上回る地震が相次いでいるため、一般電気事業者(電力会社)から長時間にわたって電力が供給されない事態も想定される。その場合、前記した通り、各家庭には一般電気事業者(電力会社)から供給される電力以外を電源とする家庭用の照明装置が備え付けられていないのが一般的なので、不便を強いられることになるという問題があった。
【０００６】
本発明は、前記問題に鑑みてなされたものであり、電力会社から電力の供給が停止した場合において、家庭用の照明として機能する照明装置及び照明装置供給システムを提供することを課題とする。
【課題を解決するための手段】
【０００７】
本発明の発明者は、地震などの有事が発生した場合に、電源となるバッテリーはあるのに、それを十分に活用できていないことを発見した。そして、これらの活用できていないバッテリーを用いることで、有事における家庭用の照明装置を構成することを考え出した。
【０００８】
すなわち、前記課題を解決するため、本発明に係る照明装置は、自動四輪車、自動二輪車、及び特殊自動車の内、少なくとも何れか１つに流用可能である蓄電池を、取り外し自在に収納する筺体と、前記蓄電池に蓄えられる電力を用いて発光する照明部とを備えることを特徴とする。
ここで、前記照明装置は、前記蓄電池を充電するための電力を取得する電力取得部と、前記蓄電池に蓄えられている電力を他の装置に供給する電力供給部とをさらに備えるのが望ましい。また、前記筺体に回動自在に取り付けられる蓋部をさらに備え、前記照明部は、前記蓋部の内側に配設するのが望ましい。また、前記蓄電池に蓄えられる電力を用いて無線通信を実現する通信部と、前記照明部及び前記通信部の少なくともいずれか一方を用いて、救助信号を発信する救助信号発信部をさらに備えるのが望ましい。
【０００９】
また、本発明に係る照明装置供給システムは、通信端末と、前記通信端末に接続される情報処理装置とで構成される照明装置供給システムであって、前記情報処理装置が、自動車の種類と前記自動車で使用される蓄電池の種類とを関連付けた自動車種類別蓄電池情報、及び前記蓄電池の種類と、前記蓄電池の種類に対応し、当該蓄電池に充電された電力を用いて発光素子を発光させる照明装置の種類とを関連付けた照明装置種類情報が格納される記憶部と、前記通信端末から前記自動車の種類を取得する自動車種類取得部と、前記自動車種類取得部が取得した前記自動車の種類に基づき前記自動車種類別蓄電池情報を検索し、対応する蓄電池の種類を算出し、算出した前記蓄電池の種類に基づき照明装置種類情報を検索し、対応する照明装置の種類を算出する照明装置種類算出部と、前記照明装置種類算出部が算出した前記照明装置の種類を前記通信端末に送信する照明装置種類送信部とを備え、前記通信端末が、前記自動車の種類を受け付け、受け付けた前記自動車の種類を前記情報処理装置に対して送信する自動車種類入力部と、前記情報処理装置から前記照明装置の種類を受信し、受信した前記照明装置の種類を出力する照明装置種類出力部とを備えることを特徴とする。
【発明の効果】
【００１０】
本発明によれば、電力会社から電力の供給が停止した場合において、家庭用の照明として機能する照明装置を提供することができる。
【図面の簡単な説明】
【００１１】
【図１】実施形態に係る照明装置の蓋部を開放した状態での外観斜視図である。
【図２】実施形態に係る照明装置の蓋部を開放した状態での平面図である。
【図３】実施形態に係る照明装置の蓋部を開放した状態での正面図である。
【図４】実施形態に係る照明装置の概略回路図である。
【発明を実施するための形態】
【００１２】
以下、図面を参照して、本発明の実施の形態について説明する。
なお、各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている場合がある。また、各図において、共通する構成要素や同様な構成要素については、同一の符号を付し、それらの重複する説明を省略する。
【００１３】
＜照明装置＞
以下、図１ないし図３を参照して、実施形態に係る照明装置１の構成について説明する。
照明装置１は、主として、筺体２と、筺体２の上部に回動自在に取り付けられる蓋部３と、筺体２内部に収容するバッテリー１０と、筺体２の側面に配設される電源プラグ４と、筺体の上部に配設される４つのコンセント５及び電源スイッチ６と、蓋部３の内側に配設される照明部２０とで構成される。以下では、これらの構成について説明する。
【００１４】
（筺体、蓋部）
筺体２は、内部が空洞で上部に開口部を有する矩形状をなし、内部に蓄電池としてのバッテリー１０を収納する。筺体２の上部には、ヒンジ構造３ａが設けられ、蓋部３がヒンジ構造３ａを回転軸として回動自在である。蓋部３は、バッテリー１０に対向する位置に凹部が形成され、凹部には照明部２０が設けられる。
【００１５】
筺体２、及び蓋部３は、地震などの有事が発生した場合にも破壊されない強度を備えていることが望ましい。例えば、蓋部３を閉じた状態で、上部から落下物があったとしても変形しない程度の強度を有するのが望ましい。また、蓋部３の意図しない開放を防止するために、蓋部３が閉じた状態で係合し蓋部３の開放を係止する係止部３ｂを、筺体２の正面上部及び蓋部３の正面中央部に備える構成にするとよい。これにより、蓋部３が地震の衝撃などにより意図せず開放され、蓋部３の内部に設けられている装置(例えば、照明部２０)が破損することを防止することができる。
【００１６】
（バッテリー）
蓄電池としてのバッテリー１０は、プラス極板、マイナス極板、及び電解液とから構成され、化学反応により発生する直流の電気エネルギーをバッテリー１０からプラス端子１０ａやマイナス端子１０ｂを介して取得することが可能である。また、それとは逆に、バッテリー１０に対して、外部から電気エネルギーをプラス端子１０ａやマイナス端子１０ｂを介して与えることが可能である。
【００１７】
バッテリー１０は、他の装置(例えば、自動四輪車、自動二輪車、特殊自動車など)で流用可能である。したがって、他の装置(例えば、自動四輪車、自動二輪車、特殊自動車など)で使用していたものを、有事に照明装置１の電源として転用してもよい。例えば、バッテリー１０は、形式が「４０Ｂ１０Ｒ」などのものを用いることができる。
【００１８】
（電源プラグ、コンセント）
電源プラグ４は、住宅に設置される図示しないコンセントに接続される。電源プラグ４のコードの長さは、例えば２ｍとしてもよい。電源プラグ４を介して入力される交流電力は、直流電力に変換され、バッテリー１０に蓄積される。コンセント５は、図示しない携帯電話機の充電器などが接続される。バッテリー１０に蓄積される直流電力は、交流電力に変換され、コンセント５を介して出力される。
【００１９】
電源プラグ４を備えることで、電力会社からの電力の供給が時間帯を特定して停止される場合に、電力が供給される時間帯を用いてバッテリー１０の充電を行うことができる。また、コンセント５を備えることで、電力会社からの電力の供給が停止した場合においても、携帯電話機などの通信端末を充電することができる。これにより、通信端末を用いた情報の通信を継続的に行うことができる可能となるので、有事に必要な情報が遮断される心配がない。
【００２０】
（照明部）
照明部２０は、図３に示すように、基板２１の表面に、発光素子としての発光ダイオード(ＬＥＤ:Light Emitting Diode)２３が規則正しく配列されて設置される。そして、電源スイッチ６の「ＯＮ」が押下されることで、バッテリー１０から電力が供給され、照明部２０のＬＥＤ２３は点灯する。ＬＥＤ２３が発光する色の種類は特に限定されず、白色、赤色、緑色、青色などを用いることができるが、ＬＥＤ２３に照らされた物体の色彩を正確に把握するためには白色を用いるのが望ましい。また、ＬＥＤ２３の周囲や、基板２１の周囲に図示しない反射板を設けることで、ＬＥＤ２３が発光した光を効率よく物体に照射することができる。
【００２１】
次に、図４を参照し、バッテリー１０を電源として照明部２０のＬＥＤ２３が点灯する仕組みについて説明する。図４は、実施形態に係る照明装置１の概略回路図である。
【００２２】
照明部２０は、複数のＬＥＤ２３で構成されるＬＥＤ群２２及び電流制限抵抗器２４が直列に接続されたものが、さらに並列に接続される。ＬＥＤ群２２を構成する各ＬＥＤ２３は、アノード（Ａ）をバッテリー１０のプラス側に、カソード（Ｋ）をバッテリー１０のマイナス側に接続するように配置する。電流制限抵抗器２４は、ＬＥＤ２３が正常に動作するための基準である定格通りに電圧や電流を調整するために接続される。以下では、電流制限抵抗器２４を、単に「抵抗器２４」と呼ぶ場合がある。抵抗器２４の抵抗値は、バッテリー１０の性能やＬＥＤ群２２を構成するＬＥＤ２３の数などを考慮して適当なものを選択する。
【００２３】
また、照明部２０は、電源スイッチ６を介してバッテリー１０のプラス端子１０ａ(図１参照)及びマイナス端子１０ｂ(図１参照)に接続される。電源スイッチ６は、電気回路を開閉する装置であり、電源スイッチ６が「ＯＮ(図２参照)」されると電気回路が閉じてＬＥＤ２３が点灯し、電源スイッチ６が「ＯＦＦ(図２参照)」されると電気回路が開いてＬＥＤ２３が消灯する。図４では、全てのＬＥＤ２３の点灯を制御する電源スイッチ６が１つ配設されるが、例えば、ＬＥＤ群２２ごとに電源スイッチ６を設けて、明るさを調整できるような構成としてもよい。また、照明部２０を用いて救助信号（ＳＯＳ）を発信するようにしてもよい。詳細は変形例で説明する。
【００２４】
なお、バッテリー１０を充電する場合、電源プラグ４を介して入力される交流電力は、コンバータ７を用いて直流電力に変換され、バッテリー１０に蓄積される。一方、バッテリー１０に蓄積された電力を使用する場合、バッテリー１０に蓄積される直流電力は、インバータ８を用いて交流電力に変換され、コンセント５を介して出力される。
以上で、実施形態に係る照明装置１の構成の説明を終了する。
【００２５】
以上のように、実施形態に係る照明装置１は、他の装置(例えば、自動四輪車、自動二輪車、特殊自動車など)で流用可能なバッテリー１０を電源として照明部２０のＬＥＤ２３を点灯させる。そのため、実施形態に係る照明装置１は、有事において電力会社から電力の供給が停止した場合における家庭用の照明として用いることができる。
【００２６】
＜照明装置供給システム＞
図１に示す照明装置１を家庭などの集合体に供給するシステムの一例について説明する。ここで、蓄電池としてのバッテリー１０の種類により回路構成が異なる複数種類の照明装置１を製作しておくことにする。また、照明装置１を作成するメーカーは、情報処理装置としてのアプリケーションサーバを有し、このアプリケーションサーバは、自動車の種類(例えば、自動四輪車、自動二輪車、特殊自動車など)と自動車で使用される蓄電池としてのバッテリー１０の種類とを関連付けた自動車種類別蓄電池情報、及び自動車で使用される蓄電池としてのバッテリー１０の種類と、蓄電池の種類に対応した照明装置１の種類とを関連付けた照明装置種類情報を記憶部にあらかじめ格納していることにする。
【００２７】
有事に備えて照明装置１の購入を希望する者は、各家庭にある通信端末としてのＰＣ(Personal Computer)や多機能携帯電話機などを用いて、アプリケーションサーバにアクセスし、その者が属する家庭が所有する自動車の種類の情報をアプリケーションサーバに送信する。以下では、通信端末のこの機能を「自動車種類入力部」と呼ぶ場合がある。これにより、アプリケーションサーバは、通信端末から自動車の種類の情報を取得する。以下では、アプリケーションサーバのこの機能を「自動車種類取得部」と呼ぶ場合がある。
【００２８】
続いて、アプリケーションサーバは、自動車種類取得部が取得した自動車の種類の情報に基づき記憶部に格納される自動車種類別蓄電池情報を検索し、対応する蓄電池としてのバッテリー１０の種類を算出し、算出した蓄電池としてのバッテリー１０の種類に基づき記憶部に格納される照明装置種類情報を検索し、対応する照明装置１の種類を算出する。以下では、アプリケーションサーバのこの機能を「照明装置種類算出部」と呼ぶ場合がある。続いて、照明装置種類算出部が算出した照明装置１の種類を自動車の種類の情報を送信した通信端末に返信する。以下では、アプリケーションサーバのこの機能を「照明装置種類送信部」と呼ぶ場合がある。
【００２９】
そして、各家庭にある通信端末は、アプリケーションサーバから照明装置１の種類の情報を受信し、受信した照明装置１の種類の情報を表示画面に出力する。以下では、通信端末のこの機能を「照明装置種類出力部」と呼ぶ場合がある。これにより、照明装置１の購入を希望する者は、表示画面に出力される照明装置１の種類を参考にして、照明装置１の種類を間違えずに購入することができ、照明装置１の供給が完了する。
【００３０】
なお、前記した「○○部」は、通信端末やアプリケーションサーバが備えるＣＰＵ(Central Processing Unit)によるプログラム実行処理や、専用回路等により実現される。
以上で、実施形態に係る照明装置供給システムの説明を終了する。
【００３１】
［変形例］
以上、本発明の実施形態について説明したが、本発明はこれに限定されるものではなく、その趣旨を変えない範囲で実施することができる。実施形態の変形例を以下に示す。
【００３２】
（筺体、蓋部）
実施形態においては、筺体２、蓋部３は、矩形状であったが、これ以外にも円柱形状、半円形状、三角柱形状などに形成してもよい。これにより、日常生活で各家庭に設置する場合でも、インテリアとして受け入れられることが想定される。また、筺体２、蓋部３を組み立て式としてもよい。これにより、有事に備えて各家庭に設置する場合でも、スペースを取ることがなくなる。
【００３３】
また、筺体２や蓋部３に人間が把持する図示しない把持部を備えることで、バッグのような構成にしたり、また、筺体２の底部にキャスターを設けて移動自在にしてもよい。これにより、持ち運びが容易となる。
また、蓋部３の開放状態を固定するストッパーを設けて、照明部２０が光を照射する角度を固定できる構成としてもよい。また、蓋部３を筺体２から取り外し可能な構成にし、照射する場所を自在に出来るようにしてもよい。これにより、必要な箇所をより正確に照射することが可能になる。
【００３４】
（ＬＥＤ）
実施形態においては、ＬＥＤ２３の定格に合わせるために抵抗器２４を用いたが、これ以外にも低電流ダイオード(ＣＲＤ：Current Regulative Diode)を用いてもよい。
【００３５】
（コンセント）
実施形態においては、電源プラグ４を用いてバッテリー１０の充電を行っていたが、筺体２や蓋部３に太陽光発電用のパネルを備えるようにしてもよい。これにより、電力会社から電気の供給が行われない場合においても、バッテリー１０の充電を行うことができる。
【００３６】
（救助信号発信部）
実施形態においては、照明装置１が家庭用の照明として機能することについて説明したが、地震の発生により物理的に孤立状態となった場合に、救助を求める機能をさらに備えるようにしてもよい。
【００３７】
具体的には、照明装置１は、電源スイッチ６とは別に緊急スイッチが設置され、緊急スイッチが押下されることでモールス信号の救助信号（ＳＯＳ）に従って電気回路の開閉を制御する救助信号発信部をさらに備える構成にしてもよい。このような構成にすることで、照明装置１は、照明部２０の点灯や消灯を用いて救助信号（ＳＯＳ）を可視的に発信することができる。これにより、夜間の屋外に照明装置１を設置し、蓋部３を開いた状態で緊急スイッチを押下することで、夜間を通して救助信号を発信し続けることが可能である。
【００３８】
また、照明装置１は、蓄電池に蓄えられる電力を用いて無線通信を実現する通信部を備え、緊急スイッチが押下されることで救助信号発信部が通信部を制御し、通信部がモールス信号の救助信号（ＳＯＳ）に従った電波を発信する構成にしてもよい。このような構成にすることで、照明装置１は、電波を用いてモールス信号の救助信号を（ＳＯＳ）を発信することができる。これにより、屋内に照明装置１を設置し、緊急スイッチを押下することで、雨が降るなどの捜索に適さない天候においても、天候に影響を受けずに救助信号を発信し続けることが可能である。
【符号の説明】
【００３９】
１      照明装置
２      筺体
３      蓋部
３ａ    ヒンジ構造
３ｂ    係止部
４      電源プラグ（電力取得部）
５      コンセント（電力供給部）
６      電源スイッチ
７      コンバータ
８      インバータ
１０    バッテリー（蓄電池）
２０    照明部
２１    基板
２２    ＬＥＤ群
２３    ＬＥＤ（発光素子）
２４    電流制限抵抗器
【図１】
2013222691.tif 000003
【図２】
2013222691.tif 000004
【図３】
2013222691.tif 000005
【図４】
2013222691.tif 000006